【事件の表示】
　平成１０年特許願第１１８８０３号「榎茸栽培容器紙巻装置」拒絶査定に対する審判事件［平成１１年１１月　９日出願公開、特開平１１−３０８９２６］について、次のとおり審決する。
【結　論】
　本件審判の請求は、成り立たない。
【理　由】
一、手続の経緯
　本願は、平成１０年４月２８日に出願された特願平１０−１１８８０３号の特許出願であって、平成１３年４月１８日付の原審における拒絶理由通知に対し平成１３年６月１３日付で手続補正がなされ、平成１３年６月２９日付で拒絶査定がなされたところ、前記拒絶査定を不服として、平成１３年８月７日付で拒絶査定に対する審判が請求されるとともに、同日の平成１３年８月７日付で手続補正がなされたものである。
　
二、平成１３年８月７日付の手続補正（以下、「本件補正」という。）についての補正却下の決定
　
［補正却下の決定の結論］
　平成１３年８月７日付の手続補正を却下する。
　
［理由］
１．補正後の発明
　本件補正により、平成１３年６月１３日付で手続補正された明細書（以下、これを「直前明細書」という。）の特許請求の範囲の
　「【請求項１】榎茸栽培容器の円筒状の口部に巻き付けられる扇状の紙を吸着部材により吸着し、該紙を進退用シリンダにより榎茸栽培容器の口部に当接移送可能な紙供給機構と、該吸着部材の吸着により該榎茸栽培容器の口部に当接した状態の紙を前後動用シリンダにより移動部材を口部に向けて前進して榎茸栽培容器の口部の半円周に添って湾曲保形可能な円弧状の紙保形部材をもつ紙保形機構と、該紙保形部材の一方端縁及び他方端縁にそれぞれ開閉自在に枢着され、該榎茸栽培容器の口部に添って湾曲保形された紙の両余部分を榎茸栽培容器の口部に添って巻付保持可能な円弧状の一対の巻付部材と、該一対の巻付部材のうち一方の巻付部材が一方の巻付用シリンダにより巻付動作した後に他方の巻付部材が他方の巻付用シリンダにより巻付動作して一対の巻付部材を相互に順次巻付動作させる巻付機構と、該榎茸栽培容器の口部に添って巻付保持された紙を口部に固定するクリップを装着移送可能なクリップ供給機構とを備えてなる榎茸栽培容器紙巻装置。
　　【請求項２】上記複数枚の紙を収納可能な紙収納部を配設し、該紙収納部から該紙を一枚宛分離して榎茸栽培容器の口部に当接移送可能な紙供給機構を配設してなる請求項１記載の榎茸栽培容器紙巻装置。
　　【請求項３】上記榎茸栽培容器を間欠移送可能な容器移送機構を配設してなる請求項１又は２記載の榎茸栽培容器紙巻装置。」
の記載が、
　「【請求項１】榎茸栽培容器の円筒状の口部に巻き付けられる扇状の紙を吸着部材により吸着し、該紙を進退用シリンダにより榎茸栽培容器の口部に当接移送可能な紙供給機構と、該吸着部材の吸着により該榎茸栽培容器の口部に当接した状態の紙を前後動用シリンダにより移動部材を口部に向けて前進して榎茸栽培容器の口部の半円周に添って湾曲保形可能な円弧状の紙保形部材をもつ紙保形機構と、該紙保形部材の一方端縁及び他方端縁にそれぞれ
蝶番部により
とを
　　【請求項２】上記複数枚の紙を収納可能な紙収納部を配設し、該紙収納部から該紙を一枚宛分離して榎茸栽培容器の口部に当接移送可能な紙供給機構を配設してなる請求項１記載の榎茸栽培容器紙巻装置。
　　【請求項３】上記榎茸栽培容器を間欠移送可能な容器移送機構を配設してなる請求項１又は２記載の榎茸栽培容器紙巻装置。」
と補正された。
　上記の本件補正により、直前明細書の特許請求の範囲の請求項１に記載されていた発明特定事項である「該紙保形部材の一方端縁及び他方端縁にそれぞれ開閉自在に枢着され、」の技術事項が、「該紙保形部材の一方端縁及び他方端縁にそれぞれ
蝶番部により
　
２．むすび
　以上のとおりであり、そして、本件補正は、特許法第１７条の２第１項第３号に規定する「第１２１条第１項の審判を請求する場合において、その審判の請求の日から３０日以内にするとき」に該当する補正であるから、特許法第１５９条第１項において読み替えて準用する第５３条第１項の規定により却下されるべきものである。
　
三、本願発明について
１．本願発明
　平成１３年８月７日の手続補正は上記のとおり却下されたので、本願発明は、平成１３年６月１３日付の手続補正書により補正された明細書（直前明細書）の特許請求の範囲の請求項１ないし請求項３に記載された事項により特定されるとおりのもの（以下、これを請求項順に「本願発明１」ないし「本願発明３」という。）である。
　「【請求項１】榎茸栽培容器の円筒状の口部に巻き付けられる扇状の紙を吸着部材により吸着し、該紙を進退用シリンダにより榎茸栽培容器の口部に当接移送可能な紙供給機構と、該吸着部材の吸着により該榎茸栽培容器の口部に当接した状態の紙を前後動用シリンダにより移動部材を口部に向けて前進して榎茸栽培容器の口部の半円周に添って湾曲保形可能な円弧状の紙保形部材をもつ紙保形機構と、該紙保形部材の一方端縁及び他方端縁にそれぞれ開閉自在に枢着され、該榎茸栽培容器の口部に添って湾曲保形された紙の両余部分を榎茸栽培容器の口部に添って巻付保持可能な円弧状の一対の巻付部材と、該一対の巻付部材のうち一方の巻付部材が一方の巻付用シリンダにより巻付動作した後に他方の巻付部材が他方の巻付用シリンダにより巻付動作して一対の巻付部材を相互に順次巻付動作させる巻付機構と、該榎茸栽培容器の口部に添って巻付保持された紙を口部に固定するクリップを装着移送可能なクリップ供給機構とを備えてなる榎茸栽培容器紙巻装置。
　　【請求項２】上記複数枚の紙を収納可能な紙収納部を配設し、該紙収納部から該紙を一枚宛分離して榎茸栽培容器の口部に当接移送可能な紙供給機構を配設してなる請求項１記載の榎茸栽培容器紙巻装置。
　　【請求項３】上記榎茸栽培容器を間欠移送可能な容器移送機構を配設してなる請求項１又は２記載の榎茸栽培容器紙巻装置。」
　
２．引用刊行物及び該引用刊行物に記載の発明
（１）原審における拒絶査定の理由に引用された実願昭６２−１１６５８１号（実開昭６４−２０１６１号）のマイクロフィルム（以下、「
引用刊行物１
　『自動紙巻装置の受台の搬入側に設けられたエノキ茸栽培容器の搬入コンベアと、この搬入コンベアにより１個のエノキ茸栽培容器が前記受台上に搬入された時点で作動して前記搬入コンベアを停止させるスイッチと、前記受台上に搬入された１個のエノキ茸栽培容器を前記自動紙巻装置の紙巻箇所に移送する移送手段と、この移送手段の始動後一定時間経過した時点で前記搬入コンベアを始動させるコンベア始動手段とを具備することを特徴とするエノキ茸栽培容器の自動搬入装置。』（明細書１頁５行〜同頁１５行）
　『第１図〜第４図において、１は扇状の紙２が多数重ね合わせて逆さに収納される紙収納部であり、カム制御機構などにより進退可能に設けられている。また紙収納部１には重ねられた紙２の中央部分を山状に突出して整形し、かつ紙２の量に応じてスプリング３の弾発力によって押圧保持し得る押板４が配設されるとともに、この押板４と上記紙収納部１に設けた押え部材５との間に上記積層された紙２が挟み込まれて保持されている。
　６は紙収納部１に収納された紙２と対向して配設された左右一対のアームであり、それぞれのアーム６の先端には吸盤７が支軸８によって左右方向首振り自在に枢着されていると共に、その吸盤７はバネ９により常時内方に向かって首振りするように弾発力が付与され、内方へほぼ４５度傾斜した状態で図示しないストッパーにより保持されている。また吸盤７が内方へほぼ４５度傾斜している状態において前記紙２に向かって吸盤７より突出するように配設した作動ピン１０が吸盤７の基部側に設けてあり、その作動ピン１０の先端部１０ａが外方へ屈曲している。また吸盤７には真空ポンプなどの図示しない陰圧発生装置が接続されている。１１は吸盤７を取り付けたア一ム６の基部を固設した反転軸であり、左右一対の受板１２に枢架されている。この反転軸１１には力ム制御機構などによって動作する適宜反転機構１３が設けられている。
　１４は紙巻箇所１５に供給されたエノキ茸栽培用の容器１６の口部１６ａの形状に倣った彎曲状の紙押えであり、力ム制御機構などにより進退自在に配設されている。なお、図示しないが紙押え１４の前進により吸盤７の陰圧発生装置をオフとし後退によりオンとなるようにしている。１７は容器１６を紙巻箇所１５に保持し得る保定部材である。
　容器１６が保持される紙巻箇所１５の両側には力ム制御機構などによって適宜角度往復回転する一対の回転軸１８が縦設してあり、その回転軸１８の上部にはそれぞれ作動杆１９を架設していると共に、一方の作動杆１９にはリンク２０を介して弾性を有する彎曲状の下巻用アーム２１が支軸２２によって揺動自在に枢着してあり、そのリンク２０および下巻用アーム２１にはそれぞれスプリング２３により常時容器１６側に向かう力が付与されている。また他方の作動杆１９には彎曲状の上巻用アーム２４がスプリング２５を介して支軸２２ａによって揺動自在に枢着され、この上巻用アーム２４にはプラスチック等の弾性材よりなるほぼＣ状のクリップ２６を収納する凹溝２７が形成してあり、この上巻用アーム２４の待機状態には一個のクリップ２６が自重落下して上記凹溝２７に収納され、かつ、上巻用アーム２４の動作時にはその上巻用アーム２４と連動してシャッター２８がクリップ２６の自重落下を阻止するようにしてクリップ収納部２９が上巻用アーム２４の上方に配設されている。またそれぞれの作動杆１９には紙２の下端に接触して紙２が所定位置より下方にずり落ちることを阻止する紙受部材３０が枢着されていると共にこの紙受部材３０には図示しないバネにより常に容器１６側に向かう力が付与されている。』（明細書３頁１６行〜６頁１９行）
　『そして第３図（Ａ）のように搬入コンベア４０上に多数の容器１６を人手により供給すると容器１６群は搬入コンベア４０によって一対のガイドレール５１，５２に案内されながら受台３１に向って移送され、１個の容器１６が第３図（Ｂ）のように受台３１の搬入箇所３１ａに供給されるとレバ一３２が回動して作動片が押圧されてスイッチＡが動作状態になり搬入コンベア４０が停止し、かつ、自動紙巻装置の一サイクルの動作が開始し、第１の移送部材３４が第１の案内溝３３に沿って容器１６を押圧しながら移動して第３図（Ｃ）のように容器１６を中継箇所１５ａにおいて第２の移送部材３６により挟まれた状態にする。次いで第２の移送部材３６が第２の案内溝３５に沿って容器１６を押圧しながら移動して紙巻箇所１５に位置させるとともに、第１の移送部材３４が復帰する。この第１の移送部材３４の復帰によりスイッチＢが作動して搬入コンベア４０を始動させて次の容器１６を搬入箇所３１ａまで搬入し搬入コンベア４０は停止するという動作を反復する。そして容器１６が紙巻箇所１５に移送されると、紙収納部１が力ム制御機構などにより前進し、作動ピン１０の先端部１０ａが重ね合わされた多数枚の紙２のうち一番外側の紙２に接触し、かつ、紙収納部１の前進に伴い作動ピン１０が外方へ移動するため作動ピン１０と−体の吸盤７はバネ９の弾発力に抗して外方すなわち紙面に向かって回動し吸盤７は紙面にならったほぼ水平状態となって紙２に吸着する。
　その後カム制御機構などにより紙収納部１が後退すると一枚の紙２は吸盤７に吸着したまま残り、他の紙２は紙収納部１の動きに連れて後退するが、その際紙収納部１が後退するに伴い吸盤７はバネ９の弾発力により内方へほぼ４５度の首振り状態に復帰するため吸盤７に吸着した紙２はほぼＵ形の彎曲状に整形される。
　次に上述した様に紙収納部１から一枚の紙２を取り出した後反転機構１３の動作によりアーム６がほぼ１８０度方向変換して逆さ向きの紙２が正向きとなって紙巻箇所１５にすでに供給されている容器１６の口部１６ａに紙２が供給されしかも紙２の彎曲した部分が口部１６ａに対応するように配設され、次いで、紙押え１４が力ム制御機構などにより前進すると紙２の彎曲した部分が容器１６の口部１６ａの周面に押接されると共に容器１６の口部１６ａの外周面に沿って紙２がほぼＵ状に保持される。
　次に紙２が容器１６の口部１６ａまで移送保持されたのち、先ず下巻側回転軸１８が制御機構により回転して作動杆１９，リンク２０および下巻用アーム２１が容器１６側に移動し彎曲状の下巻用アーム２１の先端が紙２に接触し、次いでスプリング２３の力およびリンク２０の作用によって紙２の一端側を容器１６の口部１６ａに押接しかつ皺あるいは緩みなどを伸ばすように徐々に巻き付け、次いで上巻側回転軸１８が回転して作動杆１９および上巻用アーム２４が容器１６側に移動してクリップ２６の端部が紙２の他端側に接触し次いでスプリング２５の力により紙２の他端側を容器１６の口部１６ａに沿って皺を伸ばすように巻き付けて紙２の両端を上下に重ね合わせ、その巻き付けが終了すると同時にクリップ２６は凹溝２７から離脱して自動的に口部１６ａを嵌着し紙２を巻き付け固定する。その場合下巻用アーム２１および上巻用アーム２４に連動して紙受部材３０が紙２の下端および上側を支持している。
　その後上巻用アーム２４および下巻用アーム２１は復帰する。その場合下巻用アーム２１はリンク作用により容器１６の口部１６ａ周面に添うようにして復帰する。
　このように容器１６の口部１６ａに紙２を巻き付け保持した後、第２の移送部材３６が復帰して再び容器１６を中継箇所１５ａまで移送する。これと同時に搬入箇所３１ａに容器１６を供給し、かつ第１の移送部材３４により容器１６が中継箇所１５ａまで移送されると、この移送された容器１６により第２の移送部材３６に挟まれた容器１６が中継箇所Ｉ５ａにおいて第３図（Ｂ）のように押し出されて入れ代わり、その押し出された容器１６は順次搬出箇所３１ｂへと移動して、第３図（Ｃ）のように自動紙巻装置の紙巻作動の一つである紙収納部１と連動する可動部材３８によりガイド部３９ａに案内されながら順次搬送コンベア４０に送り込まれ、容器１６が搬出コンベア５６のローラ５８群によりガイドレール５９に案内されながら自動的に搬出される。』（明細書１０頁１５行〜１５頁３行）
　
（２）原審における拒絶査定の理由に引用された特開昭５５−１３８３３２号公報（以下、「
引用刊行物２
　『１．扇形の巻紙をそのビン口に円錐状に巻き付けるべきキノコ栽培ビンの前記ビン口の外周面に対応する円弧状に形成された内周面をそれぞれ有するとともに、紙巻作業時の前記キノコ栽培ビンの所定配置位置におけるビン口の軸腺に対して直角方向に伸びる任意の平面内においてビン口の外周面に巻紙の両端部分を巻き付けるよう移動すべく適宜な駆動機構にそれぞれ各別に連繋された一対の紙巻き付け部材から成るキノコ栽培ビンに用いる紙巻機構。』（１頁左欄５行〜同１４行）
　『第１図において、１は機台であり、この機台１上には適宜な支持部材（図示せず）を介して、全体形状がほぼ半円状で断面が外側が開放されたコ字状に形成された固定アーム２が支持されている。３は前記固定アーム２内に摺動自在に配設された円弧状の摺動アームであり、これの外側面にはラック状に歯４が刻設されている。５は前記歯４と噛合する小歯車であり、この小歯車５は、また大歯車６とも噛合している。この大歯車６は前記機台１上に載置固定された正逆回転モータ７の出力軸に連繋されている。８はその一端で前記固定アーム２の一端に水平方向に摺動自在に軸支された円弧状の揺動アームであり、その中央部外側面には取り付け部９が設けられ、ここに連杆１０の一端が摺動自在に取り付けられている。１１は一側面にラック１２が固着され、図示していない適宜な案内部材によってその長手方向に直線的に移動すべく成された移動杆であり、その先端には前記連杆１０の他端が揺動自在に軸着されている。１３は前記ラック１２と噛合する歯車であり、前記機台１上に載置固定された正逆回転モータ１４の出力軸に連繋されている。なお、前記揺動アーム３と前記揺動アーム８とによって紙巻き付け部材を構成し、これら両アーム３，８は、紙巻き付け動作を完了した状態において、これら両アーム３，８と前記固定アーム２とで後記する巻紙１５を巻き付けるべきビン１６のビン口に対応する円周を形成すべく成されている。』（２頁左上欄１４行〜同頁左下欄１行）
　『続いて、本実施例の作用について説明する。機台１の一端近傍に固定アーム２と対向して、その中央が固定アーム２の摺動アーム３端側に若干寄るように扇形の巻紙１５を適宜機構によって供給し、続いて、巻紙１５を巻き付けるべきビン１６を適宜機構によって巻紙１５を介して前記固定アーム２に当接すべく巻紙１５方向から固定アーム２に向けて移動させて所定位置に供給する。ここにおいて、巻紙１５はビン１６のほぼ半周と当接して、ビン１６と固定アーム２とによって挟持される状態となる。次にモータ７が正方向に回転し、大歯車６、小歯車５の回転によって摺動アーム３が固定アーム２内から繰り出され、巻紙１５の一端部分はビン１６のビン口に巻き付けられる。このとき、巻紙１５の巻き付けられた先端部は摺動アーム４の先端からはみ出してビン口には当接していない状態にある。モータ７が停止したのちモータ１４が正方向に回転し、歯車１３が回転してラック１２とともに移動杆１１が巻紙１５方向に直線的に移動する。したがって、連杆１０が押動されて揺動アーム８が巻紙１５の他端部を押動しつつ揺動し、この他端部が前述の当接していない状態にあった一端部を巻き込んで重なり合ってビン口に当接させ、モータ１４が停止して紙巻作業は終了する。なお、続いて図示していない固定ピン等の固定部材（第４図参照）がビン口に打ち込まれて巻紙１５はビン口に固定されるものである。』（２頁左下欄２行〜同頁右下欄８行）
　『次に本発明の他の実施例について説明する。第２図は上述の第１の実施例における摺動アーム３にかえて揺動アーム８’ａを採用した構成を示している。この揺動アーム８’ａの駆動系は第１の実施例における揺動アーム８と同様であり、また、その他の構成及び作用についても第１の実施例と同様であるからその説明は省略する。』（２頁右下欄１６行〜３頁左上欄２行）
　さらに、引用刊行物２に添付された、他の実施例を示す要部の概略的平面図である第２図には、キノコ栽培ビン１６ａのビン口の半円周に添って湾曲保形可能な円弧状の固定アーム２ａと、該固定アーム２ａの一方端縁及び他方端縁にそれぞれピンにより開閉自在に枢着され、該キノコ栽培ビン１６ａのビン口に添って湾曲保形された紙１５ａの両余部分をキノコ栽培ビン１６ａのビン口に添って巻付保持可能な円弧状の揺動アーム８ａ、８’ａから構成された巻付機構において、前記一対の巻付部材のそれぞれに連杆１０ａ，１０’ａが揺動自在に取り付けられている紙巻機構、の記載が認められる。
　
３．当審の判断
（Ａ）本願発明１について
（イ）本願発明１
　本願発明１は、上記「三、本願発明について」欄の「１．本願発明」に前述したとおり、直前明細書の特許請求の範囲の請求項１に記載された次のとおりのものである。
　「【請求項１】榎茸栽培容器の円筒状の口部に巻き付けられる扇状の紙を吸着部材により吸着し、該紙を進退用シリンダにより榎茸栽培容器の口部に当接移送可能な紙供給機構と、該吸着部材の吸着により該榎茸栽培容器の口部に当接した状態の紙を前後動用シリンダにより移動部材を口部に向けて前進して榎茸栽培容器の口部の半円周に添って湾曲保形可能な円弧状の紙保形部材をもつ紙保形機構と、該紙保形部材の一方端縁及び他方端縁にそれぞれ開閉自在に枢着され、該榎茸栽培容器の口部に添って湾曲保形された紙の両余部分を榎茸栽培容器の口部に添って巻付保持可能な円弧状の一対の巻付部材と、該一対の巻付部材のうち一方の巻付部材が一方の巻付用シリンダにより巻付動作した後に他方の巻付部材が他方の巻付用シリンダにより巻付動作して一対の巻付部材を相互に順次巻付動作させる巻付機構と、該榎茸栽培容器の口部に添って巻付保持された紙を口部に固定するクリップを装着移送可能なクリップ供給機構とを備えてなる榎茸栽培容器紙巻装置。」
　
（ロ）引用刊行物１に記載の発明
　上記引用刊行物１における前記摘記事項からみて、引用刊行物１には、次の発明（以下、これを「
引用発明
　「自動紙巻装置の受台３１の搬入側に設けられたエノキ茸栽培容器１６の搬入コンベア４０と、この搬入コンベア４０により１個のエノキ茸栽培容器１６が前記受台３１上に搬入された時点で作動して前記搬入コンベア４０を停止させるスイッチと、前記受台３１上に搬入された１個のエノキ茸栽培容器１６を前記自動紙巻装置の紙巻箇所に移送する移送手段と、この移送手段の始動後一定時間経過した時点で前記搬入コンベア４０を始動させるコンベア始動手段とを具備するエノキ茸栽培容器１６の自動搬入装置であって、
　エノキ茸栽培容器の前記自動紙巻装置は、
扇状の紙２が多数重ね合わせて収納される紙収納部１がカム制御機構などにより進退可能に設けられ、該紙収納部１に収納された紙２と対向して配設され、吸盤７を取り付けた左右一対のアーム６の基部を固設した反転軸１１が、左右一対の受板１２に枢架されて、該反転軸１１に力ム制御機構などによって動作する適宜反転機構１３が設けられ、紙巻箇所１５に供給されたエノキ茸栽培用の容器１６の口部１６ａの形状に倣った彎曲状の紙押え１４が、力ム制御機構などにより進退自在に配設され、保定部材１７により容器１６が保持される紙巻箇所１５の両側には力ム制御機構などによって適宜角度往復回転する一対の回転軸１８が縦設してあり、その回転軸１８の上部にはそれぞれ作動杆１９を架設していると共に、一方の作動杆１９には弾性を有する彎曲状の下巻用アーム２１がリンク２０を介して支軸２２によって揺動自在に枢着してあり、そのリンク２０および下巻用アーム２１にはそれぞれスプリング２３により常時容器１６側に向かう力が付与され、また、他方の作動杆１９には彎曲状の上巻用アーム２４がスプリング２５を介して支軸２２ａによって揺動自在に枢着され、前記上巻用アーム２４にはプラスチック等の弾性材よりなるほぼＣ状のクリップ２６を収納する凹溝２７が形成してあり、前記上巻用アーム２４の待機状態には一個のクリップ２６が自重落下して上記凹溝２７に収納され、かつ、上巻用アーム２４の動作時にはその上巻用アーム２４と連動してシャッター２８がクリップ２６の自重落下を阻止するようにしてクリップ収納部２９が上巻用アーム２４の上方に配設される構成を有し、
　前記エノキ茸栽培容器の自動紙巻装置においては、
紙収納部１から一枚の紙２をアーム６先端の吸盤７により吸着した状態で取り出した後、カム制御機構などにより紙収納部１が後退する際に、吸盤７がバネ９の弾発力により内方へほぼ４５度の首振り態に復帰するために吸盤７に吸着された紙２がほぼＵ形の彎曲状に整形され、その後、反転機構１３の動作によりアーム６がほぼ１８０度方向変換することにより、紙２の彎曲した部分が紙巻箇所１５に供給されている容器１６の口部１６ａに対応するように前記容器１６の口部１６ａに供給され、次いで、紙押え１４が力ム制御機構などにより前進することにより、紙２の彎曲した部分が容器１６の口部１６ａの周面に押接されると共に容器１６の口部１６ａの外周面に沿って紙２がほぼＵ状に保持されたのち、先ず下巻側回転軸１８が制御機構により回転して作動杆１９，リンク２０および下巻用アーム２１が容器１６側に移動して、彎曲状の下巻用アーム２１の先端が紙２に接触し、次いでスプリング２３の力およびリンク２０の作用によって紙２の一端側を容器１６の口部１６ａに押接し、かつ、皺あるいは緩みなどを伸ばすように徐々に巻き付け、次いで上巻側回転軸１８が回転して作動杆１９および上巻用アーム２４が容器１６側に移動してクリップ２６の端部が紙２の他端側に接触し、次いでスプリング２５の力により紙２の他端側を容器１６の口部１６ａに沿って皺を伸ばすように巻き付けて紙２の両端を上下に重ね合わせ、その巻き付けが終了すると同時にクリップ２６を凹溝２７から離脱して自動的に口部１６ａを嵌着し紙２を巻き付け固定するようになっているエノキ茸栽培容器の自動紙巻装置を備えた自動搬入装置」
　
（ハ）本願発明１と引用発明との比較・対比及び一致点・相違点
　そこで、本願発明１と引用発明とを比較・対比すると、引用発明における「エノキ茸栽培容器１６」「口部１６ａ」「扇状の紙２」「吸盤７」「紙収納部１、吸盤７を取り付けた左右一対のアーム６及び反転軸１１に設けられた力ム制御機構などによって動作する適宜反転機構１３」「力ム制御機構などにより前進する紙押え１４」「容器１６の口部１６ａの形状に倣った彎曲状の紙押え１４」「紙押え１４及び力ム制御機構」「彎曲状の下巻用アーム２１」「彎曲状の上巻用アーム２４」「下巻用アーム２１、スプリング２３及びリンク２０、並びに、上巻用アーム２４、スプリング２５及び作動杆１９」「クリップ２６」「凹溝２７、シャッター２８及びクリップ収納部２９」「エノキ茸栽培容器の自動紙巻装置」が、本願発明１の「榎茸栽培容器」「口部」「扇状の紙」「吸着部材」「紙供給機構」「移動部材」「湾曲保形可能な円弧状の紙保形部材」「紙保形機構」「巻付保持可能な円弧状の一対の巻付部材のうちの一方の巻付部材」「巻付保持可能な円弧状の一対の巻付部材のうちの他方の巻付部材」「巻付機構」「クリップ」「クリップ供給機構」「榎茸栽培容器紙巻装置」にそれぞれ対応する。
　また、前記引用刊行物１には、『次に紙２が容器１６の口部１６ａまで移送保持されたのち、先ず下巻側回転軸１８が制御機構により回転して作動杆１９，リンク２０および下巻用アーム２１が容器１６側に移動し彎曲状の下巻用アーム２１の先端が紙２に接触し、次いでスプリング２３の力およびリンク２０の作用によって紙２の一端側を容器１６の口部１６ａに押接しかつ皺あるいは緩みなどを伸ばすように徐々に巻き付け、次いで上巻側回転軸１８が回転して作動杆１９および上巻用アーム２４が容器１６側に移動してクリップ２６の端部が紙２の他端側に接触し次いでスプリング２５の力により紙２の他端側を容器１６の口部１６ａに沿って皺を伸ばすように巻き付けて紙２の両端を上下に重ね合わせ、その巻き付けが終了すると同時にクリップ２６は凹溝２７から離脱して自動的に口部１６ａを嵌着し紙２を巻き付け固定する。』と記載されていて、この記載によれば、引用発明の自動紙巻機構は、下巻用アーム２１と上巻用アーム２４からなる一対の巻付部材を備え、先ず下巻側回転軸１８が制御機構により回転して一方の下巻用アーム２１が巻付動作した後に、次に上巻側回転軸１８が回転して他方の上巻用アーム２４が巻付動作することにより、一対の巻付部材を相互に順次巻付動作させるものであるといえるから、引用発明の上記「下巻用アーム２１と上巻用アーム２４からなる一対の巻付部材を備え、先ず下巻側回転軸１８が制御機構により回転して一方の下巻用アーム２１が巻付動作した後に、次に上巻側回転軸１８が回転して他方の上巻用アーム２４が巻付動作することにより、一対の巻付部材を相互に順次巻付動作させる自動紙巻機構」の構成が、本願発明１の「該一対の巻付部材のうち一方の巻付部材が一方の巻付用シリンダにより巻付動作した後に他方の巻付部材が他方の巻付用シリンダにより巻付動作して一対の巻付部材を相互に順次巻付動作させる巻付機構」に対応しているといえる。
　そして、引用発明の「カム制御機構など」或いは「制御機構」と、本願発明１の「進退用シリンダ」「前後動用シリンダ」「一方の巻付用シリンダ」「他方の巻付用シリンダ」等の各シリンダとを対比・比較すると、引用発明における種々の機械要素を駆動するための「カム制御機構など」或いは「制御機構」と、本願発明１における種々の機械要素を駆動するための「進退用シリンダ」「前後動用シリンダ」「一方の巻付用シリンダ」「他方の巻付用シリンダ」等の各シリンダは、それぞれ機械要素を駆動制御するための多様な駆動制御手段の内の一つであり、両者は共に種々の機械要素を駆動するに際して「駆動制御手段」を用いている点で共通しているといえる。
　そうすると、本願発明１と引用発明とは、「榎茸栽培容器の円筒状の口部に巻き付けられる扇状の紙を吸着部材により吸着し、該紙を駆動制御手段により榎茸栽培容器の口部に当接移送可能な紙供給機構と、該吸着部材の吸着により該榎茸栽培容器の口部に当接した状態の紙を駆動制御手段により移動部材を口部に向けて前進して榎茸栽培容器の口部の半円周に添って湾曲保形可能な円弧状の紙保形部材をもつ紙保形機構と、該榎茸栽培容器の口部に添って湾曲保形された紙の両余部分を榎茸栽培容器の口部に添って巻付保持可能な円弧状の一対の巻付部材と、該一対の巻付部材のうち一方の巻付部材が一方の駆動制御手段により巻付動作した後に他方の巻付部材が他方の駆動制御手段により巻付動作して一対の巻付部材を相互に順次巻付動作させる巻付機構と、該榎茸栽培容器の口部に添う紙を口部に固定するクリップを装着移送可能なクリップ供給機構とを備えてなる榎茸栽培容器紙巻装置」である点で、両者の構成が一致し、次の点で相違する。
　
相違点Ａ１
　
相違点Ａ２
　
相違点Ａ３
　
（ニ）相違点についての検討
（１）
相違点Ａ１
　種々の機械要素を駆動する駆動制御手段として、「進退用シリンダ」「前後動用シリンダ」「一方の巻付用シリンダ」「他方の巻付用シリンダ」等の「シリンダ」を用いることは、本願特許出願時における周知・慣用技術である〔例えば、特公昭５５−４２８０１号公報、特開平８−１１６７８６号公報、特開平８−２５６５９７号公報及び特開平９−１４９７２８号公報における各「シリンダ」の記載を参照。〕。
　そうしてみると、種々の機械要素を駆動する駆動制御手段としては周知・慣用技術である「シリンダ」を採用して、引用発明に記載の「カム制御機構など」又は「制御機構」の駆動制御手段を、「進退用シリンダ」「前後動用シリンダ」「一方の巻付用シリンダ」「他方の巻付用シリンダ」の構成に変更することにより、本願発明１のような前記相違点Ａ１の様な構成を得ることは、当業者が格別の困難性を要せずに容易になし得ることである。
　
（２）
相違点Ａ２
　本願発明１の前記相違点Ａ２に係る「榎茸栽培容器の口部に添って湾曲保形された紙の両余部分を榎茸栽培容器の口部に添って巻付保持可能な円弧状の一対の巻付部材が該紙保形部材の一方端縁及び他方端縁にそれぞれ開閉自在に枢着され」る構成は、本願特許出願前に頒布された刊行物である上記引用刊行物２に、キノコ栽培ビン１６ａのビン口の半円周に添って湾曲保形可能な円弧状の固定アーム２ａ（本願発明１の「紙保形部材」に相当する。）と、該固定アーム２ａの一方端縁及び他方端縁にそれぞれピンにより開閉自在に枢着され、該キノコ栽培ビン１６ａのビン口に添って湾曲保形された紙１５ａの両余部分をキノコ栽培ビン１６ａのビン口に添って巻付保持可能な円弧状の揺動アーム８ａ、８’ａ（本願発明１の「一対の巻付部材」に相当する。）から構成された巻付機構の構成が記載されていて、本願特許出願前の公知技術である。
　そうしてみると、引用発明に前記公知技術を適用して、本願発明１のような「榎茸栽培容器の口部に添って湾曲保形された紙の両余部分を榎茸栽培容器の口部に添って巻付保持可能な円弧状の一対の巻付部材が該紙保形部材の一方端縁及び他方端縁にそれぞれ開閉自在に枢着され」る構成を得ることは、当業者が格別の困難性を要せずに容易になし得ることである。
　
（３）
相違点Ａ３
　榎茸栽培容器の口部に添って巻付けられる紙を容器の口部に固定するためになされるクリップの装着を、榎茸栽培容器の口部に添って巻付けられる紙が巻付保持された後にするか、或いは、榎茸栽培容器の口部に添って巻付けられる紙が巻付保持されるのと同時にするかの相違は、すぐれて当業者が適宜選択できる設計事項にすぎないことであり、そして、両者の間には、クリップ装着のタイミングの相違による格別の作用効果の差異もない。
　そうしてみると、両者における相違点Ａ３の前記構成の差異は、設計上の微差にすぎない。
　
（ホ）まとめ
　そして、本願発明１の奏する作用・効果は、上記引用発明、引用刊行物２に記載の発明及び周知・慣用技術から予測できる範囲内のものであり、格別のものということができない。
　したがって、本願発明１は、上記引用刊行物１に記載の発明（引用発明）、引用刊行物２に記載の発明及び周知・慣用技術に基いて当業者が容易に発明をすることができたものであるから、本願発明１は特許法第２９条第２項の規定により、特許を受けることができない。
　
（Ｂ）本願発明２について
（イ）本願発明２
　本願発明２は、上記「三、本願発明について」欄の「１．本願発明」に前述したとおり、直前明細書の特許請求の範囲の請求項２に記載された次のとおりのものである。
　「【請求項２】上記複数枚の紙を収納可能な紙収納部を配設し、該紙収納部から該紙を一枚宛分離して榎茸栽培容器の口部に当接移送可能な紙供給機構を配設してなる請求項１記載の榎茸栽培容器紙巻装置。」
　
（ロ）本願発明２と引用発明との比較・対比及び一致点・相違点
　そこで、本願発明２と引用発明とを比較・対比すると、上記「（Ａ）本願発明１について」欄の「（ハ）本願発明１と引用発明との比較・対比及び一致点・相違点」に前述した各対応点の他に、引用発明における「扇状の紙２が多数重ね合わせて収納される紙収納部１」が、本願発明２の「上記複数枚の紙を収納可能な紙収納部」に対応する。
　そして、引用発明においても、「紙収納部１、吸盤７を取り付けた左右一対のアーム６及び反転軸１１に設けられた力ム制御機構などによって動作する適宜反転機構１３」により、紙収納部１から一枚宛分離された紙２がエノキ茸栽培容器１６の口部１６ａに当接移送されるのであるから、引用発明のエノキ茸栽培容器の自動紙巻装置においても、本願発明２の「上記複数枚の紙を収納可能な紙収納部を配設し、該紙収納部から該紙を一枚宛分離して榎茸栽培容器の口部に当接移送可能な紙供給機構」が配設されているということができる。
　そうすると、本願発明２と引用発明とは「上記複数枚の紙を収納可能な紙収納部を配設し、該紙収納部から該紙を一枚宛分離して榎茸栽培容器の口部に当接移送可能な紙供給機構を配設してなる榎茸栽培容器紙巻装置」である点で、両者の構成が一致し、上記「（Ａ）本願発明１について」欄の「（ハ）本願発明１と引用発明との比較・対比及び一致点・相違点」に前述した引用発明の本願発明１に対する相違点Ａ１ないし相違点Ａ３と同一の次の点で相違する。
　
相違点Ｂ１
　
相違点Ｂ２
　
相違点Ｂ３
　
（ハ）相違点についての検討
　本願発明２における上記相違点Ｂ１ないし相違点Ｂ３は、本願発明１における相違点Ａ１ないし相違点Ａ３と同一であるから、本願発明２における上記相違点Ｂ１ないし相違点Ｂ３についての判断は、上記「（Ａ）本願発明１について」欄の「（ニ）相違点についての検討」において既に前述してあるところの、「引用発明の本願発明１に対する相違点Ａ１ないし相違点Ａ３」についてした判断のとおりである。
　
（ニ）まとめ
　そして、本願発明２の奏する作用・効果は、上記引用発明、引用刊行物２に記載の発明及び周知・慣用技術から予測できる範囲内のものであり、格別のものということができない。
　したがって、本願発明２は、上記引用刊行物１に記載の発明（引用発明）、引用刊行物２に記載の発明及び周知・慣用技術に基いて当業者が容易に発明をすることができたものであるから、本願発明２は特許法第２９条第２項の規定により、特許を受けることができない。
　
（Ｃ）本願発明３について
（イ）本願発明３
　本願発明３は、上記「三、本願発明について」欄の「１．本願発明」に前述したとおり、直前明細書の特許請求の範囲の請求項３に記載された次のとおりのものである。
　「【請求項３】上記榎茸栽培容器を間欠移送可能な容器移送機構を配設してなる請求項１又は２記載の榎茸栽培容器紙巻装置。」
　
（ロ）本願発明３と引用発明との比較・対比及び一致点・相違点
　そこで、本願発明３と引用発明とを比較・対比すると、上記「（Ａ）本願発明１について」欄の「（ハ）本願発明１と引用発明との比較・対比及び一致点・相違点」に前述した対応点、及び上記「（Ｂ）本願発明２について」欄の「（ロ）本願発明２と引用発明との比較・対比及び一致点・相違点」に前述した各対応点の他に、引用発明における「自動紙巻装置の受台３１の搬入側に設けられたエノキ茸栽培容器１６の搬入コンベア４０と、この搬入コンベア４０により１個のエノキ茸栽培容器１６が前記受台３１上に搬入された時点で作動して前記搬入コンベア４０を停止させるスイッチと、前記受台３１上に搬入された１個のエノキ茸栽培容器１６を前記自動紙巻装置の紙巻箇所に移送する移送手段と、この移送手段の始動後一定時間経過した時点で前記搬入コンベア４０を始動させるコンベア始動手段とを具備するエノキ茸栽培容器１６の自動搬入装置」が、本願発明３の「上記榎茸栽培容器を間欠移送可能な容器移送機構」に対応するから、引用発明においても、本願発明３の「上記榎茸栽培容器を間欠移送可能な容器移送機構」が配設されているということができる。
　そうすると、本願発明３と引用発明とは「上記榎茸栽培容器を間欠移送可能な容器移送機構を配設してなる榎茸栽培容器紙巻装置」である点で、両者の構成が一致し、上記「（Ａ）本願発明１について」欄の「（ハ）本願発明１と引用発明との比較・対比及び一致点・相違点」に前述した引用発明の本願発明１に対する相違点Ａ１ないし相違点Ａ３又は上記「（Ｂ）本願発明２について」欄の「（ロ）本願発明２と引用発明との比較・対比及び一致点・相違点」に前述した引用発明の本願発明２に対する相違点Ｂ１ないし相違点Ｂ３と同一の次の点で相違する。
　
相違点Ｃ１
　
相違点Ｃ２
　
相違点Ｃ３
　
（ハ）相違点についての検討
　本願発明３における上記相違点Ｃ１ないし相違点Ｃ３は、本願発明１における相違点Ａ１ないし相違点Ａ３、又は本願発明２に対する相違点Ｂ１ないし相違点Ｂ３と同一であるから、本願発明３における上記相違点Ｃ１ないし相違点Ｃ３についての判断は、上記「（Ａ）本願発明１について」欄の「（ニ）相違点についての検討」において既に前述してあるところの、「引用発明の本願発明１に対する相違点Ａ１ないし相違点Ａ３」又は、上記「（Ｂ）本願発明２について」欄の「（ハ）相違点についての検討」において既に前述してあるところの、「引用発明の本願発明２に対する相違点Ｂ１ないし相違点Ｂ３」についてした判断のとおりである。
　
（ニ）まとめ
　そして、本願発明３の奏する作用・効果は、上記引用発明、引用刊行物２に記載の発明及び周知・慣用技術から予測できる範囲内のものであり、格別のものということができない。
　したがって、本願発明３は、上記引用刊行物１に記載の発明（引用発明）、引用刊行物２に記載の発明及び周知・慣用技術に基いて当業者が容易に発明をすることができたものであるから、本願発明３は特許法第２９条第２項の規定により、特許を受けることができない。
　
５．むすび
　以上のとおりであり、本願発明１ないし本願発明３は、上記引用刊行物１及び引用刊行物２に記載の発明及び周知・慣用技術に基いて当業者が容易に発明をすることができたものであるから、特許法第２９条第２項の規定により特許を受けることができない。
　よって、結論のとおり審決する。